【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
車両に統合されたメインコンピューティングデバイスが、ランタイム環境の第１のインスタンスの実行を可能にする第１のコンテナを実行することと、
前記メインコンピューティングデバイスが、前記ランタイム環境の第２のインスタンスの実行を可能にする第２のコンテナを実行することとを含み、前記ランタイム環境の前記第１のインスタンスおよび前記ランタイム環境の前記第２のインスタンスは、前記車両のオペレータが前記車両の機能を制御するユーザインターフェイスを一緒に提示するように構成されており、
前記ランタイム環境の前記第１のインスタンスは、
前記メインコンピューティングデバイスと通信するサポートコンピューティングデバイスを検出することと、
前記サポートコンピューティングデバイスを検出することに応答して、前記第２のコンテナを前記サポートコンピューティングデバイスに転送することと、
前記車両の前記オペレータが前記車両の前記機能を制御する前記ユーザインターフェイスを一緒に提示するよう、前記サポートコンピューティングデバイスによって実行される前記ランタイム環境の前記第２のインスタンスにインターフェイス接続することと
を行うように構成される、方法。
【請求項２】
前記ランタイム環境の前記第１のインスタンスは、前記ランタイム環境の前記第２のインスタンスと前記ランタイム環境の前記第１のインスタンスとの間でユーザ設定を同期する、請求項１に記載の方法。
【請求項３】
前記ランタイム環境の前記第１のインスタンスは、前記ランタイム環境の前記第２のインスタンスによるアプリケーションの実行を開始する、請求項１または２に記載の方法。
【請求項４】
前記ランタイム環境の前記第１のインスタンスは、前記ランタイム環境の第１のパーティションを含み、
前記ランタイム環境の前記第２のインスタンスは、前記ランタイム環境の第２のパーティションを含み、
前記ランタイム環境の前記第１のパーティションは、アプリケーションの実行を前記ランタイム環境の前記第２のパーティションにリダイレクトするように構成され、
前記ランタイム環境の前記第２のパーティションは、前記アプリケーションが実行されるユーザスペースを維持するように構成される、請求項１から３のいずれか１項に記載の方法。
【請求項５】
前記ランタイム環境の前記第１のインスタンスは、前記ランタイム環境の前記第１のインスタンスと前記ランタイム環境の前記第２のインスタンスとの間でシステム設定を同期するように構成される、請求項１から４のいずれか１項に記載の方法。
【請求項６】
前記メインコンピューティングデバイスが、前記ランタイム環境の前記第１のインスタンスおよび前記ランタイム環境の前記第２のインスタンスが前記車両のハードウェアコンポーネントにインターフェイス接続することを可能にする分散されたハードウェア抽象化レイヤーの第１のインスタンスを実行することをさらに含む、請求項１から５のいずれか１項に記載の方法。
【請求項７】
前記サポートコンピューティングデバイスが前記車両の前記ハードウェアコンポーネントにインターフェイス接続することを可能にする前記ハードウェア抽象化レイヤーの第２のインスタンスを前記サポートコンピューティングデバイスが実行することを可能にするよう、前記サポートコンピューティングデバイスを検出することに応答して、分散された前記ハードウェア抽象化レイヤーの前記第２のインスタンスを前記サポートコンピューティングデバイスに転送することをさらに含む、請求項６に記載の方法。
【請求項８】
前記メインコンピューティングデバイスは、前記サポートコンピューティングデバイスに通信可能に接続される、請求項１から７のいずれか１項に記載の方法。
【請求項９】
前記メインコンピューティングデバイスは、前記サポートコンピューティングデバイスにワイヤレスで接続される、請求項８に記載の方法。
【請求項１０】
前記メインコンピューティングデバイスは、ワイヤを介して前記サポートコンピューティングデバイスに接続される、請求項８に記載の方法。
【請求項１１】
前記メインコンピューティングデバイスは、ユニバーサルシステムバス（ＵＳＢ）規格に従って、前記ワイヤを介して前記サポートコンピューティングデバイスに接続される、請求項１０に記載の方法。
【請求項１２】
前記メインコンピューティングデバイスは、前記車両の前記オペレータに前記ユーザインターフェイスを提示する統合されたディスプレイを含むヘッドユニットを含む、請求項１から１１のいずれか１項に記載の方法。
【請求項１３】
前記サポートコンピューティングデバイスは、前記ユーザインターフェイスを前記車両の前記オペレータに提示する統合されたディスプレイを含まないカートリッジを含む、請求項１から１２のいずれか１項に記載の方法。
【請求項１４】
前記ランタイム環境の前記第１のインスタンスは、第１のバージョンを有する前記ランタイム環境の第１のインスタンスを含み、
前記ランタイム環境の前記第２のインスタンスは、第２のバージョンを有する前記ランタイム環境の第２のインスタンスを含み、
前記第１のバージョンは、前記第２のバージョンとは異なる、請求項１から１３のいずれか１項に記載の方法。
【請求項１５】
車両に統合されたメインコンピューティングデバイスであって、前記メインコンピューティングデバイスは、
ランタイム環境の第１のインスタンスおよび前記ランタイム環境の第２のインスタンスを格納するように構成されるメモリと、
１つ以上のプロセッサとを含み、前記１つ以上のプロセッサは、
前記ランタイム環境の第１のインスタンスの実行を可能にする第１のコンテナを実行することと、
前記ランタイム環境の第２のインスタンスの実行を可能にする第２のコンテナを実行することとを含み、前記ランタイム環境の前記第１のインスタンスおよび前記ランタイム環境の前記第２のインスタンスは、前記車両のオペレータが前記車両の機能を制御するユーザインターフェイスを一緒に提示するように構成されており、
前記ランタイム環境の前記第１のインスタンスは、
前記メインコンピューティングデバイスと通信するサポートコンピューティングデバイスを検出することと、
前記サポートコンピューティングデバイスを検出することに応答して、前記第２のコンテナを前記サポートコンピューティングデバイスに転送することと、
前記車両の前記オペレータが前記車両の前記機能を制御する前記ユーザインターフェイスを一緒に提示するよう、前記サポートコンピューティングデバイスによって実行される前記ランタイム環境の前記第２のインスタンスにインターフェイス接続することと
を行うように構成される、メインコンピューティングデバイス。
【請求項１６】
前記ランタイム環境の前記第１のインスタンスは、前記ランタイム環境の前記第２のインスタンスと前記ランタイム環境の前記第１のインスタンスとの間でユーザ設定を同期する、請求項１５に記載のメインコンピューティングデバイス。
【請求項１７】
前記ランタイム環境の前記第１のインスタンスは、前記ランタイム環境の前記第２のインスタンスによるアプリケーションの実行を開始する、請求項１５または１６に記載のメインコンピューティングデバイス。
【請求項１８】
前記ランタイム環境の前記第１のインスタンスは、前記ランタイム環境の第１のパーティションを含み、
前記ランタイム環境の前記第２のインスタンスは、前記ランタイム環境の第２のパーティションを含み、
前記ランタイム環境の前記第１のパーティションは、アプリケーションの実行を前記ランタイム環境の前記第２のパーティションにリダイレクトするように構成され、
前記ランタイム環境の前記第２のパーティションは、前記アプリケーションが実行されるユーザスペースを維持するように構成される、請求項１５から１７のいずれか１項に記載のメインコンピューティングデバイス。
【請求項１９】
前記ランタイム環境の前記第１のインスタンスは、前記ランタイム環境の前記第１のインスタンスと前記ランタイム環境の前記第２のインスタンスとの間でシステム設定を同期するように構成される、請求項１５から１８のいずれか１項に記載のメインコンピューティングデバイス。
【請求項２０】
命令を有するプログラムであって、前記命令は、実行されると、メインコンピューティングデバイスの１つ以上のプロセッサに、
ランタイム環境の第１のインスタンスの実行を可能にする第１のコンテナを実行することと、
前記ランタイム環境の第２のインスタンスの実行を可能にする第２のコンテナを実行することとを行わせ、前記ランタイム環境の前記第１のインスタンスおよび前記ランタイム環境の前記第２のインスタンスは、前記車両のオペレータが前記車両の機能を制御するユーザインターフェイスを一緒に提示するように構成されており、
前記ランタイム環境の前記第１のインスタンスは、
前記メインコンピューティングデバイスと通信するサポートコンピューティングデバイスを検出することと、
前記サポートコンピューティングデバイスを検出することに応答して、前記第２のコンテナを前記サポートコンピューティングデバイスに転送することと、
前記車両の前記オペレータが前記車両の前記機能を制御する前記ユーザインターフェイスを一緒に提示するよう、前記サポートコンピューティングデバイスによって実行される前記ランタイム環境の前記第２のインスタンスにインターフェイス接続することと
を行うように構成される、プログラム。